(57)【要約】【課題】  ＲＡＭへの動画のデータの書き込みと同時に静止画データを書き込むことができるＲＡＭ内蔵ドライバを提供すること。【解決手段】  ＲＡＭ内蔵ＸドライバＩＣ２４は、ＭＰＵ１０からの静止画データ、動画データを伝送する第１，第２のバスライン１１０，１１２と、静止画データおよび動画データを記憶するＲＡＭ１６０と、静止画データを書き込むためのＲＡＭのカラム・ページアドレスを指定する第１のカラム・ページアドレス制御回路１４２，１５２と、動画データを書き込むためのＲＡＭのカラム・ページアドレスを指定する第２のカラム・ページアドレス制御回路１４４，１５４と、ＭＰＵからのコマンドに基づいて、各アドレス制御回路を制御するＭＰＵ系制御回路１３０と、ＲＡＭに記憶された静止画データおよび動画データを、表示データとして読み出し制御する表示アドレス制御回路１５６と、表示アドレス制御回路を制御するドライバ系制御回路１７０とを有する。【選択図】      図４
2005215690.tif 000002
【特許請求の範囲】
【請求項１】
静止画データおよび動画データに基づいて表示部を表示駆動するＲＡＭ内蔵ドライバであって、
それぞれ前記静止画データおよび動画データを伝送するための第１および第２のバスラインと、
前記第１および第２のバスラインを介して伝送された前記静止画データおよび動画データを記憶するＲＡＭと、
所与のコマンドに基づいて、前記ＲＡＭに対し、前記第１のバスラインを介して伝送された前記静止画データを書き込み又は読み出し制御し、かつ前記静止画データの書き込み又は読み出し制御とは独立して、所与のコマンドに基づいて、前記ＲＡＭに対し、前記第２のバスラインを介して伝送された前記動画データを書き込み又は読み出し制御する第１の制御回路と、
前記第１の制御回路とは独立して、前記ＲＡＭに記憶された前記静止画データ及び動画データを表示データとして読み出し制御し、前記表示部を表示駆動する第２の制御回路と、
を含むことを特徴とするＲＡＭ内蔵ドライバ。
【請求項２】
請求項１において、
前記第１の制御回路は、前記静止画データの書き込み又は読み出し制御と、前記動画データの書き込み又は読み出し制御と、を同時に行うことを特徴とするＲＡＭ内蔵ドライバ。
【請求項３】
請求項１又は請求項２において、
前記第１の制御回路における前記静止画データ及び前記動画データの少なくともいずれか一方の書き込み又は読み出し制御と、前記第２の制御回路における前記表示データとしての読み出し制御と、を同時に行うことを特徴とするＲＡＭ内蔵ドライバ。  
【請求項４】
請求項１から請求項３において、
前記ＲＡＭは、前記第１のバスラインを介して前記静止画データの書き込みが行われる第１のポートと、前記第２のバスラインを介して前記動画データの書き込みが行われる第２のポートと、前記表示データを読み出すための第３のポートとを有するメモリセルを含むことを特徴とするＲＡＭ内蔵ドライバ。
【請求項５】
複数の第１の電極と複数の第２の電極により駆動される電気光学素子を有するパネルと、
前記複数の第１の電極を駆動する請求項１から請求項４に記載のＲＡＭ内蔵ドライバと、
前記複数の第２の電極を走査駆動する走査駆動ドライバと、
を有することを特徴とする表示ユニット。
【請求項６】
請求項５に記載の表示ユニットと、
前記表示ユニットに前記コマンド、前記静止画データおよび前記動画データを供給するＭＰＵと、
を有することを特徴とする電子機器。
【請求項７】
静止画データおよび動画データに基づいて表示部を表示駆動して画像を表示させる電子機器であって、
請求項１から請求項４に記載のＲＡＭ内蔵ドライバと、
前記ＲＡＭ内蔵ドライバのＲＡＭに記憶された画像データに基づいて画像が表示される前記表示部の表示領域に対して、静止画領域を設定する手段と、
前記静止画領域に対応した前記ＲＡＭの記憶領域に前記静止画データを書き込む手段と、
前記表示領域に対して動画領域を設定する手段と、
前記動画領域に対応した前記ＲＡＭの記憶領域に前記動画データを書き込む手段と、
を含むことを特徴とする電子機器。
【請求項８】
静止画データおよび動画データに基づいて表示部を表示駆動して画像を表示させる電子機器であって、
請求項１から請求項４に記載のＲＡＭ内蔵ドライバと、
前記ＲＡＭ内蔵ドライバのＲＡＭに記憶された画像データに基づいて画像が表示される前記表示部の表示領域に対して、静止画領域を設定する手段と、
前記静止画領域に対応した前記ＲＡＭの記憶領域に前記静止画データを書き込む手段と、
前記静止画領域に対して任意の動画領域を設定する手段と、
前記動画領域に対応した前記ＲＡＭの記憶領域に前記動画データを書き込む手段と、
を含むことを特徴とする電子機器。
【発明の詳細な説明】
【技術分野】
【０００１】
本発明は、一画面内に静止画および動画を表示駆動するＲＡＭ内蔵ドライバ並びにそれを用いた表示ユニットおよび電子機器に関する。
【背景技術】
【０００２】
近年の通信技術、実装技術等の発達により、携帯型の電子機器の表示部に、数字や文字といったキャラクタ文字のみならず、静止画像や動画像などのユーザにとって情報性の高い各種データが表示できるようになった。
【０００３】
このような電子機器に表示されるデータついては、種々のデータ形式が提案されている。例えば携帯電話機を例に挙げれば、ＭＰＥＧ（Moving Picture Experts Group）の規格により圧縮して符号化された画像データを受信または送信する技術が提案されている。
【０００４】
この場合、携帯電話機の表示部には、例えば図３に示す液晶パネル２２には、受信された動画が動画表示領域２２Ａに表示される。一方、液晶パネル２２の静止画表示領域２２Ｂには、例えばその動画に関する説明、操作情報などの静止画が表示される。
【０００５】
動画表示領域２２Ａに動画を表示するためには、液晶ドライバ内のＲＡＭの記憶領域のうち、動画表示領域２２Ａと対応する動画記憶領域にて、周期的に、しかもほぼリアルタイムに動画データを書き換える必要がある。
【０００６】
一方、静止画表示領域２２Ｂに表示される静止画は、携帯電話機のキー操作時等に応じて変更され、ＲＡＭの記憶領域のうち、静止画表示領域２２Ｂと対応する静止画記憶領域の静止画データを書き換える必要が生じる。
【０００７】
しかし、ＲＡＭの静止画記憶領域にて静止画データを書き換えるには、周期的に動画データが伝送されるバスラインを使用して、一画面の動画データと次の一画面の動画データを伝送する間の隙間を利用するしかない。
【０００８】
このように、動画データの画面間の限られた時間内で静止画データを伝送することは、動画データおよび静止画データを表示ユニットに供給するＭＰＵの動作時間を拘束し、表示ユニット以外の回路も制御するＭＰＵの動作上の時間的制約などが大きくなる。
【発明の開示】
【発明が解決しようとする課題】
【０００９】
そこで、本発明の目的は、ＲＡＭに対する動画データの書き換えタイミングとは無関係に、静止画データを書き換えることが可能なＲＡＭ内蔵ドライバ並びにそれを用いた表示ユニットおよび電子機器を提供することにある。
【課題を解決するための手段】
【００１０】
本発明の一態様に係るＲＡＭ内蔵ドライバは、静止画データおよび動画データに基づいて表示部を表示駆動するものである。
【００１１】
このＲＡＭ内蔵ドライバは、それぞれ静止画データおよび動画データを伝送するための第１および第２のバスラインと、第１および第２のバスラインを介して伝送された静止画データおよび動画データを記憶するＲＡＭと、所与のコマンドに基づいて、ＲＡＭに対し、第１又は第２のバスラインを介してそれぞれ別個に伝送された静止画データ又は動画データの書き込み又は読み出し制御する第１の制御回路と、第１の制御回路とは独立して、ＲＡＭに記憶された静止画データ又は動画データを表示データとして読み出し制御し、表示部を表示駆動する第２の制御回路とを含むことを特徴とする。
【００１２】
本発明の一形態によれば、静止画、動画は、第１、第２のバスラインにより別系統にて伝送される。また、静止画データまたは動画データのＲＡＭへの書き込み制御と、表示部に表示駆動するための表示データのＲＡＭからの読み出し制御とは、それぞれ独立して行われる。
【００１３】
このため、動画データをＲＡＭに書き換えながら、同時に静止画データを書き換えることができ、動画データの書き込みの終了を待って、静止画データを書き込む必要がない。しかも、これら静止画データと動画データの書き込み制御に関わらず、表示データによる表示駆動を可能とする。
【００１４】
本発明の一形態に係るＲＡＭ内蔵ドライバでは、ＲＡＭは、第１のバスラインを介して静止画データの書き込みが行われる第１のポートと、第２のバスラインを介して動画データの書き込みが行われる第２のポートと、表示データを読み出すための第３のポートとを有するメモリセルを含むことを特徴とする。
【００１５】
このように、３ポートのメモリセルに対して動画データおよび静止画データをそれぞれ別系統で指定し、さらにその他の系統にて蓄積した表示データを読み出すことができるようにした。これにより、ＲＡＭに対する動画データおよび静止画データの書き込みや、読み出しの制御に必要とされる制約がなくなり、非常に簡素な処理で表示データのアクセスを行うことができるようになる。
【００１６】
本発明の一形態に係るＲＡＭ内蔵ドライバでは、外部ＭＰＵからのコマンド、静止画データおよび動画データに基づいて表示部を表示駆動するＲＡＭ内蔵ドライバであって、外部ＭＰＵからの静止画データを伝送する第１のバスラインと、外部ＭＰＵからの動画データを伝送する第２のバスラインと、静止画データおよび動画データを記憶するＲＡＭと、静止画データを書き込むためのＲＡＭのカラムアドレスを指定する第１のカラムアドレス制御回路と、動画データを書き込むためのＲＡＭのカラムアドレスを指定する第２のカラムアドレス制御回路と、静止画データを書き込むためのＲＡＭのページアドレスを指定する第１のページアドレス制御回路と、動画データを書き込むためのＲＡＭのページアドレスを指定する第２のページアドレス制御回路と、外部ＭＰＵからのコマンドに基づいて、第１、第２のカラムアドレス制御回路および第１、第２のページアドレス制御回路を制御するＭＰＵ系制御回路と、ＲＡＭに記憶された静止画データおよび動画データを、表示データとして読み出し制御する表示アドレス制御回路と、ＭＰＵ系制御回路とは独立して、表示アドレス制御回路を制御するドライバ系制御回路とを有することを特徴とする。
【００１７】
本発明の一形態によれば、静止画、動画データは第１、第２のバスラインにより別系統にて伝送される。また、ＲＡＭにデータを書き込むためのカラムおよびページアドレスも、静止画と動画とで別系統で指定される。
【００１８】
このため、動画データをＲＡＭに書き換えながら、同時に静止画データを書き換えることができ、動画データの書き込みの終了を待って静止画データを書き込む必要がない。
【００１９】
本発明の一形態に係るＲＡＭ内蔵ドライバでは、ＲＡＭのメモリセルに接続された第１の一対のビット線と、ＲＡＭのメモリセルに接続された第２の一対のビット線と、第１のカラムアドレス制御回路に制御されて第１の一対のビット線と第１のバスラインとを接続する第１のカラムスイッチと、第２のカラムアドレス制御回路に制御されて第２の一対のビット線と第２のバスラインとを接続する第２のカラムスイッチと、メモリセル内のメモリ素子と第１の一対のビット線との間に設けられた第１のスイッチの制御端子に、第１のページアドレス制御回路からの信号を伝送する第１のワード線と、メモリ素子と第２の一対のビット線との間に設けられた第２のスイッチの制御端子に、第２のページアドレス制御回路からの信号を伝送する第２のワード線とを設けることができる。
【００２０】
このように、静止画用と動画用とでポートを異ならせたデュアルポートとしている。すなわち、第１のカラムアドレス制御回路および第１のページアドレス制御回路にて指定されるメモリセルに、第１のビット線対を経由して静止画データを書き込み可能としている。また、第２のカラムアドレス制御回路および第２のページアドレス制御回路にて指定されるメモリセルに、第２のビット線対を経由して動画データを書き込み可能としている。こうして、ＲＡＭの記憶領域を拡大せずに、静止画データおよび動画データを任意のセルに書き込むことが可能となる。
【００２１】
本発明の一形態に係るＲＡＭ内蔵ドライバでは、ＲＡＭとして、第１のバスラインを経由した静止画データを記憶する第１のＲＡＭと、第２のバスラインを経由した前記動画データを記憶する第２のＲＡＭとを設けても良い。この場合、表示アドレス制御回路は、第１のＲＡＭからの静止画データを表示データとして読み出し制御する第１の表示アドレス制御回路と、第２のＲＡＭからの動画データを表示データとして読み出し制御する第２の表示アドレス制御回路とを有する。また、第１のＲＡＭは、第１のカラムアドレス制御回路および第１のページアドレス制御回路により書き込みアドレスが制御され、第２のＲＡＭは、第２のカラムアドレス制御回路および第２のページアドレス制御回路により書き込みアドレスが制御される。
【００２２】
このように、静止画データ用の第１のＲＡＭと、動画データ用の第２のＲＡＭを有することで記憶領域は拡大されるが、動画データを第２のＲＡＭにて書き換えながら、同時に静止画データを第１のＲＡＭにて書き換えることができる。
【００２３】
本発明の一形態では、第１のカラムアドレス制御回路は、ＭＰＵ系制御回路からの信号に基づいて、ＲＡＭの読み出しカラムアドレスを指定し、第１のページアドレス制御回路は、ＭＰＵ系制御回路からの信号に基づいて、ＲＡＭの読み出しページアドレスを指定するように構成できる。
【００２４】
こうすると、一旦ＲＡＭに書き込まれたデータを外部ＭＰＵに向けて読み出すことが可能となる。例えば、外部ＭＰＵがＲＡＭに書き込まれたデータを読み出し、これを反転処理して、再びＲＡＭに書き込むリード・モディファイ・ライト処理を行うことができる。
【００２５】
本発明の他の形態に係る表示ユニットは、複数の第１の電極と複数の第２の電極により駆動される電気光学素子を有するパネルと、複数の第１の電極を駆動する本発明の一形態に係るＲＡＭ内蔵ドライバと、複数の第２の電極を走査駆動する走査駆動ドライバとを有する。
【００２６】
この表示ユニットは、静止画および動画の混合表示を、外部ＭＰＵの負担を軽減しながら実現することができる。
【００２７】
本発明のさらに他の態様に係る電子機器は、本発明の他の形態に係る表示ユニットと、表示ユニットにコマンド、静止画データおよび動画データを供給するＭＰＵとを有する。
【００２８】
この電子機器、表示ユニットでの静止画および動画の混合表示に際してＭＰＵの負担が軽減されるので、ＭＰＵの稼動効率を高めることができる。
【００２９】
本発明のさらに他の態様に係る電子機器は、静止画データおよび動画データに基づいて表示部を表示駆動して画像を表示させる電子機器であって、本発明の一形態に係る記載のＲＡＭ内蔵ドライバと、ＲＡＭ内蔵ドライバのＲＡＭに記憶された画像データに基づいて画像が表示される表示部の表示領域に対して、静止画領域を設定する手段と、静止画領域に対応したＲＡＭの記憶領域に静止画データを書き込む手段と、表示領域に対して動画領域を設定する手段と、動画領域に対応したＲＡＭの記憶領域に動画データを書き込む手段とを含む。
【００３０】
本発明によれば、表示部を表示駆動するための表示データを記憶するＲＡＭに対して、静止画データおよび動画データをそれぞれ別個に書き込みすることができるため、従来のように静止画データおよび動画データの混合処理を行ってからＲＡＭに書き込む処理が不要となる。従って、表示データの生成処理が非常に簡素化され、ＭＰＵ等の処理負荷を大幅に軽減させて、その分高度な画像処理等を行うことができる電子機器を提供することができる。
【００３１】
本発明のさらに他の態様に係る電子機器は、静止画データおよび動画データに基づいて表示部を表示駆動して画像を表示させる電子機器であって、本発明の一形態に係るＲＡＭ内蔵ドライバと、ＲＡＭ内蔵ドライバのＲＡＭに記憶された画像データに基づいて画像が表示される表示部の表示領域に対して、静止画領域を設定する手段と、静止画領域に対応したＲＡＭの記憶領域に静止画データを書き込む手段と、静止画領域に対して任意の動画領域を設定する手段と、動画領域に対応したＲＡＭの記憶領域に動画データを書き込む手段とを含む。
【００３２】
本発明によれば、さらに一旦書き込んだ静止画データに上書きするようにして動画データを書き込むことによって、表示部に動画を表示させることができるようになり、表示部において静止画が表示される静止画領域、動画が表示される動画領域の設定状況に関わらず、次々と新しい表示データを書き込むことができ、静止画と動画が混在するような複雑な表示処理の大幅な軽減を図る。
【発明を実施するための最良の形態】
【００３３】
以下、本発明の実施の形態について図面を参照して説明する。
【００３４】
＜第１の実施の形態＞
以下、本発明の第１の実施の形態について、図１〜図７を参照して説明する。
【００３５】
（電子機器の説明）
図１は、本発明が適用される電子機器の概略ブロック図である。図１において、この電子機器は、ＭＰＵ（マイクロプロセッサユニット）１０と、表示ユニット２０とから構成される。表示ユニット２０は、電気光学素子を有するマトリクスパネル例えばカラー液晶パネル２２と、この液晶パネル２２を駆動するＲＡＭ内蔵のＸドライバＩＣ２４と、走査用のＹドライバＩＣ２６とを有する。
【００３６】
マトリクスパネル２２は、電圧印加によって光学特性が変化する液晶その他の電気光学素子を用いたものであればよい。液晶パネル２２としては、例えば単純マトリクスパネルで構成でき、この場合、複数のセグメント電極（第１の電極）が形成された第１基板と、コモン電極（第２の電極）が形成された第２基板との間に、液晶が封入される。液晶パネル２２は薄膜トランジスタ（ＴＦＴ）、薄膜ダイオード（ＴＦＤ）等の三端子素子、二端子素子を用いたアクティブマトリクスパネルであっても良い。これらのアクティブマトリクスパネルも、ＲＡＭ内蔵ＸドライバＩＣ２４により駆動される複数の信号電極（第１の電極）と、ＹドライバＩＣ２６により走査駆動される複数の走査電極（第２の電極）を有する。
【００３７】
液晶パネル２２には静止画と動画とを同時に表示可能である。この場合、図１に示すように、ＭＰＵ１０によって供給された動画データの画像サイズによって定められる動画表示領域２２Ａと、それ以外の静止画表示領域（テキストデータ表示領域）２２Ｂの各領域が液晶パネル２２に設定される。
【００３８】
ＭＰＵ１０から表示ユニット２０には、図１に示すように、大別して表示コマンド／静止画データと、動画データとが供給される。表示コマンドとして代表的なものに、コマンド／データの区別を示す信号Ａ０、反転リセット信号ＸＲＥＳ、反転チップセレクト信号ＸＣＳ、反転リード信号ＸＲＤおよび反転ライト信号ＸＷＲ等がある。データＤ７〜Ｄ０は８ビットのコマンドデータ（静止画および動画用アドレスデータを含む）または静止画データであり、コマンド／データ識別信号Ａ０の論理によって区別されている。動画データは例えば各６ビットのＲ，Ｇ，Ｂ信号であり、クロック信号ＣＬＫ、水平・垂直同期信号Ｈ・Ｖｓｙｎｃ等も供給される。
【００３９】
このように、本実施の形態では、表示コマンド／静止画データのためのバスと、動画データのためのバスとが分離されている。
【００４０】
図２は、図１のＭＰＵ１０および表示ユニット２０を携帯電話機３０に搭載した例を示している。図２に示すＭＰＵ１０は、携帯電話機３０の制御を司るＣＰＵ１２を有し、このＣＰＵ１２には静止画用メモリ１４、ＤＳＰ（ディジタル・シグナル・プロセッサ）１６が接続されている。また、ＤＳＰ１６には動画用メモリ１８が接続されている。
【００４１】
この携帯電話機３０には、アンテナ３２を介して受信された信号を復調し、あるいはアンテナ３２を介して送信される信号を変調する変復調回路３４が設けられている。そして、アンテナ３２からは、例えばＭＰＥＧ（Moving Picture Experts Group）のレイヤーIVの規格にて符号化された動画データを送受信可能となっている。
【００４２】
この携帯電話機３０には、例えばディジタルビデオカメラ３６を設けることもできる。このディジタルビデオカメラ３６を介して動画データを取り込むことができる。携帯電話機３０でのデータ送受信、ディジタルビデオカメラ３６での撮影などに必要な操作情報は、操作入力部３８を介して入力される。
【００４３】
ＭＰＵ１０に設けられたＣＰＵ１２は、液晶パネル２２の動画表示領域２２Ａに動画を表示する際には、その動画のサイズを動画情報から決定する。すなわち、図１に示す動画のスタートアドレスＳＡ及びエンドアドレスＥＡを決定する。なお、図３に示すように動画表示領域２２Ａと静止画表示領域２２Ｂとを例えば上下でライン分割しても良く、この場合も同様にスタートアドレスＳＡ、エンドアドレスＥＡが動画のサイズから決定される。
【００４４】
この動画表示領域２２Ａに表示される動画は、本実施の形態ではアンテナ３２またはディジタルビデオカメラ３６から供給される。アンテナ３２から入力される信号は、変復調回路３４を介して復調されてＤＳＰ１６にて信号処理される。このＤＳＰ１６は動画処理用メモリ１８と接続され、アンテナ３２、変復調回路３４を介して入力される圧縮データを伸張し、またＭＰＥＧのレイヤーIVの規格にて符号化されているデータについてはデコードする。変復調回路３４、アンテナ３２を介して送信されるデータはＤＳＰ１６にて圧縮され、ＭＰＥＧのレイヤーIVの規格にて符号化して送信する場合にはエンコードされる。このようにＤＳＰ１６は、ＭＰＥＧの例えばレイヤーIVのデコーダ、エンコーダとしての機能を有することができる。
【００４５】
このＤＳＰ１６にはディジタルビデオカメラ３６からの信号も入力され、アンテナ３２またはディジタルビデオカメラ３６より入力された信号は、ＤＳＰ１６にてＲＧＢ信号に処理されて表示ユニット２０に供給される。
【００４６】
ＣＰＵ１２は、操作入力部３８からの情報等に基づき、必要により静止画用メモリ１４を用いて、液晶パネル２２に表示される静止画の表示に必要なコマンド、静止画データを表示ユニット２０に出力する。
【００４７】
例えば、動画はインターネットを経由して配信された映画情報であり、その劇場チケットを予約するための情報が静止画として表示され、操作入力部３８からの情報に基づいてチケット予約が実施される。このため、ＣＰＵ１２はさらに、変復調回路３４、アンテナ３２を介して静止画情報（例えば予約情報）を送出制御する。またＣＰＵ１２は、必要により、ディジタルビデオカメラ３６にて撮影された動画情報を、変復調回路３４、アンテナ３２を介して送出制御することができる。
【００４８】
（ＸドライバＩＣの説明）
図４は図１に示すＲＡＭ内蔵ＸドライバＩＣ２４のブロック図である。図４に示すＲＡＭ内蔵ＸドライバＩＣ２４の入出力回路として、ＭＰＵインターフェース１００と入出力バッファ１０２、入力バッファ１０４が設けられている。
【００４９】
ＭＰＵインターフェース１００には、反転チップセレクト信号ＸＣＳ、コマンド／データの識別信号Ａ０、反転リード信号ＸＲＤ、反転ライト信号ＸＷＲ、反転リセット信号ＸＲＥＳなどが入力される。
【００５０】
入出力バッファ１０２には、例えば８ビットのコマンドまたは静止画データＤ７〜Ｄ０が入力される。なお、図４では信号Ｄ７〜Ｄ０はパラレルで入出力される例を示しているが、ＸドライバＩＣ２４内の表示データＲＡＭ１６０からＭＰＵ１０にデータを読み出す必要がない場合には、先頭ビットを識別信号Ａ０とし、それに続く信号Ｄ７〜Ｄ０をシリアルで入出力してもよい。こうすると、ＭＰＵ１０及びＸドライバＩＣ２４の端子数を減らすことができる。
【００５１】
入力バッファ１０４には、例えば各６ビットのＲ，Ｇ，Ｂ信号からなる動画データと、クロック信号ＣＬＫとが入力される。各６ビットのＲ，Ｇ，Ｂ信号は、クロック信号ＣＬＫに同期してパラレルで入出力される。
【００５２】
ＸドライバＩＣ２４には、ＭＰＵインターフェース１００及び入出力バッファ１０２に接続された第１のバスライン１１０と、入力バッファ１０４に接続された第２のバスライン１２０とが設けられている。
【００５３】
第１のバスライン１１０にはバスホールダ１１２とコマンドデコーダ１１４とが接続され、第２のバスライン１２０にはバスホールダ１２２が接続されている。なお、入出力バッファ１０２にはステータス設定回路１１６が接続され、ＸドライバＩＣ２４の動作状態がＭＰＵ１０に出力されるようになっている。この動作状態とは、例えば表示がオン状態であるか否か、画面内の所与のスクロール領域のスクロールモードといったＸドライバＩＣ２４で設定されている内部状態であって、ＭＰＵ１０から入力された所与のコマンドがコマンドデコーダ１１４でデコードされた結果、出力されるようになっている。
【００５４】
第１，第２のバスライン１１０，１２０は共に、表示データＲＡＭ１６０のＩ／Ｏバッファ１６２に接続され、表示データＲＡＭ１６０に対してリード、ライトされる静止画データ及び動画データが伝送される。
【００５５】
ＸドライバＩＣ２４には、上述した表示データＲＡＭ１６０、Ｉ／Ｏバッファ１６２の他に、ＭＰＵ系制御回路１３０、カラムアドレス制御回路１４０、ページアドレス制御回路１５０、ドライバ系制御回路１７０、ＰＭＷデコード回路１８０及び液晶駆動回路１９０などが設けられている。
【００５６】
ＭＰＵ系制御回路１３０は、コマンドデコーダ１１４を介して入力されるＭＰＵ１０のコマンドに基づいて、表示データＲＡＭ１６０に対するリード、ライト動作を制御する。このＭＰＵ系制御回路１３０により制御されるカラムアドレス制御回路１４０及びページアドレス制御回路１５０が設けられている。本実施の形態では、カラムアドレス制御回路１４０は、静止画データの書き込みカラムアドレスと静止画及び動画データの読み出しカラムアドレスを指定する第１のカラムアドレス制御回路１４２と、動画データの書き込みカラムアドレスを指定する第２のカラムアドレス制御回路１４４とを有する。ページアドレス制御回路１５０は、静止画データの書き込みページアドレスと静止画及び動画データの読み出しページアドレスとを指定する第１のページアドレス制御回路１５２と、動画データの書き込みページアドレスを指定する第２のページアドレス制御回路１５４とを有する。なお、図４では図示していないが、ＭＰＵ１０からの垂直、水平同期信号Ｈ・ＶｓｙｎｃがＭＰＵ系制御回路１３０に入力される。水平同期信号Ｈｓｙｎｃは、動画データの書き込みの際のノイズ等の誤書き込みによる表示ずれ等を極力抑えるために、第２のカラム・ページアドレス制御回路１４４，１５４内に設けられたカウンタのセット、リセットに用いられる。さらに、水平・垂直同期信号Ｈ・Ｖｓｙｎｃは、カラムアドレス、ページアドレスをスタートアドレスＳＡに戻すために用いられる。また、ページアドレス制御回路１５０は、ドライバ系制御回路１７０により制御されて１ライン毎に表示アドレスを指定する表示アドレス制御回路１５６を含んでいる。
【００５７】
ドライバ系制御回路１７０は、Ｘドライバ系制御回路１７２及びＹドライバ系制御回路１７４を含む。このドライバ系制御回路１７０は、発振回路１７６からの発振出力に基づいて階調制御パルスＧＣＰ、極性反転信号ＦＲ、ラッチパルスＬＰなどを発生し、ＭＰＵ系制御回路１３０とは独立して、表示アドレス制御回路１５６、ＰＷＭデコード回路１８０、電源制御回路１７８およびＹドライＩＣ２６を制御する。
【００５８】
ＰＷＭデコード回路１８０は、表示データＲＡＭ１６０より１ライン毎に読み出されるデータをラッチして、極性反転周期に従って階調値に応じたパルス幅の信号を出力する。液晶駆動回路１９０は、ＰＷＭデコード回路１８０からの信号を、ＬＣＤ表示系の電圧に応じた電圧にシフトさせ、図１に示す液晶パネル２０のセグメント電極ＳＥＧに供給する。
【００５９】
（表示データＲＡＭおよびその周辺回路の説明）
図５は表示データＲＡＭ１６０およびその周辺回路の概略回路図である。図５には、第１，第２のカラムアドレス制御回路１４２，１４４、第１，第２のページアドレス制御回路１５２，１５４および表示アドレス制御回路１５６のそれぞれの最終段に設けられた第１，第２のカラムアドレスデコーダ１４２Ａ，１４４Ａ、第１，第２のページアドレスデコーダ１５２Ａ，１５４Ａおよび表示アドレスデコーダ１５６Ａが示されている。
【００６０】
図５にはさらに、第１，第２行目のメモリセルＣ１０，Ｃ１１…、Ｃ２０，Ｃ２１…が示されている。そして、図５に示す各メモリセルには、第１〜第３のワード線Ｗ１〜Ｗ３と、第１のビット線対Ｂ１，／Ｂ１と、第２のビット線対Ｂ２，／Ｂ２とが接続されている。
【００６１】
第１のカラムアドレスデコーダ１４２Ａは、第１のビット線対Ｂ１，／Ｂ１に接続された第１のカラムスイッチＳＷ１をオン、オフさせる信号を出力する。第２のカラムアドレスデコーダ１４４Ａは、第２のビット線対Ｂ２，／Ｂ２に接続された第２のカラムスイッチＳＷ２をオン、オフさせる信号を出力する。第１のページアドレスデコーダ１５２Ａは第１のワード線Ｗ１を、第２のページアドレスデコーダ１５２Ａは第２のワード線Ｗ２を、表示アドレスデコーダ１５６Ａは第３のワードラインＷ３を、それぞれをアクティブとする信号を供給する。
【００６２】
従来技術と比較すると、本実施の形態では、第２のワード線Ｗ２と、第２のビット線対Ｂ２，／Ｂ２と、第２のカラムスイッチＳＷ２と、第２のカラムアドレスデコーダ１４４Ａと、第２のページアドレスデコーダ１５４Ａとが新たに設けられている。
【００６３】
第２のカラムおよびページアドレスデコーダ１４４Ａ，１５４Ａは、動画データ（Ｒ，Ｇ，Ｂ）を書き込むためのカラムおよびページアドレスを指定する場合にのみ用いられ、このアドレス指定により第２のバスライン１２０、第２のカラムスイッチＳＷ２を介して、動画データ（Ｒ，Ｇ，Ｂ）がメモリセルに書き込まれる。
【００６４】
第１のカラムおよびページアドレスデコーダ１４２Ａ，１５２Ａは、静止画データを書き込む時と、静止画および動画データを読み出す時に、カラムおよびページアドレスを指定する。このアドレス指定により第１のバスライン１２０、第１のカラムスイッチＳＷ１を介して、表示データＲＡＭ１６０に対してデータがリード・ライトされる。
【００６５】
表示アドレスデコーダ１５６Ａは、第３のワード線Ｗ３を順次１本ずつアクティブにすることで、１ライン上の全メモリセルのデータを表示データ出力線ＯＵＴに読み出すものである。この読み出しデータが図４に示すＰＷＭデコーダ回路１８０に供給されて液晶駆動に供される。
【００６６】
（メモリセルの構成について）
図６は表示データＲＡＭ１６０内のメモリセルＣ１０を示す回路図である。メモリセルＣ１０は、他のメモリセルと同一の構成を有する。このメモリセルＣ１０は、２つのＣＭＯＳインバータ２０１，２０２にて構成されるメモリ素子２００を有する。２つのＭＯＳインバータ２０１，２０２は、その入出力同士を互いに接続する第１，第２の配線２０４，２０６を有する。第１配線２０４とビット線Ｂ１との間には第１のＮ型ＭＯＳトランジスタ２１０（第１のスイッチ）が接続され、そのゲートは第１のワード線Ｗ１に接続されている。同様に、第２配線２０６とビット線／Ｂ１との間には第２のＮ型ＭＯＳトランジスタ２１２（第１のスイッチ）が接続され、そのゲートは第１のワード線Ｗ１に接続されている。
【００６７】
以上の構成により、第１のページアドレスデコーダ１５２Ａからのアクティブ信号により第１のワード線Ｗ１がＨとなると、第１，第２のＮ型トランジスタ２１０，２１２がオンされる。これにより、メモリセルＣ１０は第１の一対のビット線Ｂ１，／Ｂ１と接続される。このとき、第１のカラムアドレスデコーダ１４２Ａからアクティブ信号により第１のカラムスイッチＳＷ１がオンしていると、メモリセルＣ１０に対するデータのリード・ライトが可能となる。
【００６８】
また、電源供給線ＶＤＤと表示データ出力線ＯＵＴとの間には第１，第２のＰ型ＭＯＳトランジスタ２２０，２２２が接続されている。第１のＰ型ＭＯＳトランジスタ２２０のゲートは第２の配線２０６に接続され、第２のＰ型ＭＯＳトランジスタ２２２のゲートは第３のワード線Ｗ３に接続されている。
【００６９】
メモリセルＣ１０のデータを表示データ出力線ＯＵＴに読み出す前に、この表示データ出力線ＯＵＴはＬにプリチャージされている。このプリチャージ動作後に第３のワード線Ｗ３をＬとして第２のＰ型ＭＯＳトランジスタ２２２をオンさせた状態で、表示データ出力線ＯＵＴのデータがＰＷＭデコーダ回路１８０にてラッチされる。このとき、第２の配線２０６の電位がＨ（第１の配線２０４の電位がＬ）であれば表示データ出力線ＯＵＴはＬのままであり、第２の配線２０６の電位がＬ（第１の配線２０４の電位がＨ）であれば表示データ出力線ＯＵＴはＨとなる。このようにして、表示データＲＡＭ１６０からの表示データの読み出しを１ライン同時に行うことができる。
【００７０】
本実施の形態ではさらに、第２のワード線Ｗ２と第２のビット線対Ｂ２，／Ｂ２とが設けられている。このため、第１配線２０４とビット線Ｂ２との間には第３のＮ型ＭＯＳトランジスタ２３０（第２のスイッチ）が接続され、そのゲートは第２のワード線Ｗ２に接続されている。同様に、第２配線２０６とビット線／Ｂ２との間には第４のＮ型ＭＯＳトランジスタ２３２（第２のスイッチ）が接続され、そのゲートは第２のワード線Ｗ２に接続されている。
【００７１】
以上の構成により、第２のページアドレスデコーダ１５４Ａからのアクティブ信号により第２のワード線Ｗ２がＨとなると、第３，第４のＮ型トランジスタ２３０，２３２がオンされ、メモリセルＣ１０は第２の一対のビット線Ｂ２，／Ｂ２と接続される。このとき、第２のカラムアドレスデコーダ１４４Ａからアクティブ信号により第２のカラムスイッチＳＷ２がオンしていると、メモリセルＣ１０に対する動画データのライトが可能となる。
【００７２】
（表示データＲＡＭに対する静止画、動画の書き込みについて）
ＭＰＵ１０は、図１または図３に示す動画表示領域２２ＡのスタートおよびエンドアドレスＳＡ，ＥＡと対応する表示データＲＡＭ１６０のページアドレスおよびカラムアドレスを、動画情報から予め知得している。このためＭＰＵ１０は、表示データＲＡＭ１６０のエリアのうち動画表示領域２２Ａと対応するエリアのカラムアドレスおよびページアドレスを、所定の書き込み周波数に従って繰り返し指定することが可能となる。この動画表示領域２２Ａと対応するエリアのカラムアドレスおよびページアドレスは、ＸドライバＩＣ２４の入出力バッファ１０２、ＭＰＵ系制御回路１３０を経由して、第２のカラムアドレス制御回路１４４および第２のページアドレス制御回路１５４に入力される。最終的に、図５に示す第２のカラムアドレスデコーダ１４４Ａおよび第２のページアドレスデコーダ１５４Ａを介して、表示データＲＡＭ１６０のカラムおよびページアドレスが指定される。動画データについて、入力バッファ１０４および第２のバスライン１２０を経由させることで、静止画データのバスライン１１０とは異なる経路にてリアルタイムで伝送することができ、それにより動画データがリアルタイムで書き換えられることになる。
【００７３】
一方ＭＰＵ１０は、表示データＲＡＭ１６０のエリアのうち静止画表示領域２２Ａと対応するエリアのカラムアドレスおよびページアドレスを指定して、操作入力部３８からの情報入力があった時などの静止画データに変更が生じた時にのみ、所定の書き込み周波数にてデータ書き換えを実施する。
【００７４】
このように、本実施の形態では、静止画と動画とを表示データＲＡＭ１６０に書き込むにあたって、アドレス指定およびデータ伝送をそれぞれ別ルートにて実施し、メモリセルはそれらのいずれのデータも書き込めるように構成されている。従って、静止画と動画とを同時にページ単位で異なるメモリセルに書き込むことが可能となり、どちらか一方のデータ書き込みを停止する必要はない。
【００７５】
また、メモリセルは静止画および動画のいずれのデータも書き込めるように構成されているので、動画表示領域２２Ａを任意に変更することが可能となる。
【００７６】
ここで、液晶パネル２０の動画表示領域２２Ａに動画を表示するに際しては、例えば６０Ｈｚすなわち１秒間に６０フレームを表示できる図７に示す読み出しクロックに従って、表示データＲＡＭ１６０から表示データが読み出される。
【００７７】
一方、静止画データは、液晶表示のための駆動周波数より高い例えば９０Ｈｚすなわち１秒間に９０フレームを表示できる静止画書き込みクロックに従って、表示データＲＡＭ１６０に表示データが書き込まれる。このように、表示読み出しレートより高い書き込みレートにて静止画の書き換えを実施しているため、操作入力部３８での操作に応じたスクロール表示等に追従した表示が可能となる。
【００７８】
これに対して動画データについては、人間の網膜の残像現象を利用するものであるので、携帯電話機などのように精密な動画表示が求められない場合には、動画のフレーム数を低く（表示に合わせて６０フレーム全部を書き換える必要はない）しても支障はない。本実施の形態では、例えば２０Ｈｚすなわち１秒間に２０フレームの動画データを書き込むことができる周波数で書き込みを行うこともできるし、６０フレームの周波数にて２０／６０＝１／３のデータをＭＰＵ１０からＸドライバＩＣ２４に送出するだけでもよい。ＲＡＭを内蔵していないＸドライバＩＣを使用する場合には６０フレーム分のデータを常に書き換える必要があるが、このように動画の書き込み周波数を低く（書き込みレートを低く）し、または書き換えられるデータ量を減少することで、静止画とは異なり表示データＲＡＭ１６０の内容を常時書き換える必要がある動画データの書き込み回数が少なくなり、その分メモリセルにて消費される電力を少なくすることができる。
【００７９】
（本実施形態に係る電子機器の具体例）
次に、上述した第１の実施の形態におけるＸドライバＩＣ２４を備える電子機器について、具体的に説明する。
【００８０】
図８は、本発明の第１の実施の形態に係るＸドライバＩＣ２４を備える電子機器としての携帯電話機の一例の構成要部を示すブロック図である。なお、図８において図２と同一機能を有する回路については、図２と同一の符号を用いその詳細な説明を省略する。
【００８１】
第１の実施の形態におけるＣＰＵ１２には、メモリ２５０が接続されている。メモリ２５０は、ＣＰＵ１２によって実行されるプログラムが記憶されたプログラムメモリと、静止画用メモリ１４とを含む。ＣＰＵ１２は、このプログラムメモリに記憶されたプログラムにしたがって、液晶パネル２２に静止画または動画を表示させるためにＸドライバＩＣ２４に対し、静止画データまたは動画データを伝送させる。すなわち、ＣＰＵ１２は、液晶パネル２２に静止画を表示させるための静止画データをＸドライバＩＣ２４に対して伝送すると共に、液晶パネル２２に動画を表示させるための動画データの生成と伝送とをＤＰＳ１６に対して指示を行う。従って、静止画データと動画データとは、別系統でＸドライバＩＣ２４に対し伝送されるようになっている。
【００８２】
このため、ＣＰＵ１２は、少なくとも動画領域設定部２５２、動画データ書込部２５４、静止画領域設定部２５６、静止画データ書込部２５８を含む。
【００８３】
動画領域設定部２５２は、ＸドライバＩＣ２４の表示データＲＡＭ１６０に記憶される表示データに基づいて、液晶パネル２２に画像が表示される表示領域の任意の位置にスタートアドレスＳＡとエンドアドレスＥＡによって特定される動画領域を設定する。この動画領域は、例えば液晶パネル２２の表示領域のマトリックス状の各画素をそれぞれアドレスで定義づけた場合、スタートアドレスＳＡとエンドアドレスＥＡとを結ぶ対角線によって特定される矩形領域とすることができる。
【００８４】
動画データ書込部２５４は、ＤＳＰ１６に対し、動画領域設定部２５２によって設定された動画領域に動画データの書き込み指示を行う。ＤＳＰ１６は、ＣＰＵ１２の動画領域設定部２５２によって設定された動画領域に動画情報が表示されるように生成した動画用メモリ１８に記憶された動画データをＸドライバＩＣ２４に伝送し、設定された動画領域に対応した表示データＲＡＭ１６０の記憶領域に書き込む。
【００８５】
静止画領域設定部２５６は、ＸドライバＩＣ２４の表示データＲＡＭ１６０に記憶される表示データに基づいて、液晶パネル２２に画像が表示される表示領域の任意の位置に、静止画領域を設定する。この静止画領域は、動画領域と同様に、別のスタートアドレスＳＡ´とエンドアドレスＥＡ´によって特定される領域である。この静止画領域についても、例えば液晶パネル２２の表示領域のマトリックス状に配置された各画素をそれぞれアドレスで定義づけた場合、スタートアドレスＳＡ´とエンドアドレスＥＡ´とを結ぶ対角線によって特定される矩形領域とすることができる。
【００８６】
静止画データ書込部２５８は、静止画領域設定部２５６によって設定された静止画領域に静止画データを書き込む。より具体的には、ＣＰＵ１２は、静止画領域設定部２５６によって設定された静止画領域にテキストなどの静止画情報が表示されるように生成した静止画用メモリ１４に記憶された静止画データをＸドライバＩＣ２４に伝送し、設定された静止画領域に対応した表示データＲＡＭ１６０の記憶領域に書き込む。
【００８７】
なお、このようなＣＰＵ１２の機能は、その全てをハードウェアにより実現してもよいし、その全てをプログラムにより実現してもよい。或いは、ハードウェアとプログラムの両方により実現してもよい。
【００８８】
図９は、このようなＣＰＵ１２の機能によって実現された電子機器としての携帯電話機の表示部の一例を示したものである。
【００８９】
ここでは、例えば携帯電話機３０のユーザがインターネット上のコンテンツサーバにアクセスし、映画情報を提供するコンテンツを表示させた場合を示している。
【００９０】
ユーザは、操作入力部３８としてのキーを操作し、インターネットを介して所与のコンテンツサーバにアクセスすることによって、コンテンツデータを受信する。このコンテンツデータは、動画および静止画が混在し、それぞれ動画情報および静止画情報に画像サイズが含まれているものとする。動画情報および静止画情報に画像サイズに関する情報が含まれていないときは、液晶パネル２２の表示領域全てを表示すべき画像サイズとする。
【００９１】
第１の実施形態における携帯電話機３０は、受信したコンテンツデータに含まれる動画情報または静止画情報から画像サイズを検出し、それぞれ動画表示領域または静止画（またはテキスト）表示領域を設定するようになっている。ここでは、図９に示すように、携帯電話機３０の表示部である液晶パネル２２の表示領域の下側部分に静止画表示領域２６０、上側部分に動画表示領域２６０が設定されている場合を示している。
【００９２】
静止画表示領域２６０には、アクセスしたコンテンツサーバによって提供される各種サービスを選択するためのメニュー画面が表示される。ユーザは、操作入力部３８のキー操作によってカーソル２６４を移動させて、所望の項目を選択することによって、選択した項目に対応するサービスの提供を受ける。
【００９３】
第１の実施の形態における電子機器では、静止画領域２６０に表示されたメニュー画面の各項目に対応した画像を、液晶パネル２２の所与の位置に表示させることができるようになっている。
【００９４】
例えば、「１．ストーリー」を選択した場合、テキスト文字からなる映画のストーリー情報をコンテンツサーバから取得し、液晶パネル２２の所与の位置に表示させる。また、例えば「４．チケット」を選択した場合、その映画の劇場チケットを予約するための情報が液晶パネル２２の所与の静止画領域に静止画として表示され、操作入力部３８からの情報に基づいてチケット予約が実施されるようになっている。この静止画表示領域は、表示される静止画情報に応じて、その大きさ、表示領域が異なる。さらにまた、例えば「５．予告編」を選択した場合、コンテンツサーバから映画の予告編情報を動画データとして取得し、動画表示領域２６２に動画を表示させる。この動画表示領域２６２は、表示させる動画情報に応じて、その大きさ、表示領域が異なる。
【００９５】
さらに、第１の実施の形態における電子機器では、ユーザがキー操作によりメニュー画面で選択を行わない場合に、コンテンツサーバから次々と宣伝広告を目的とした動画が液晶パネル２２の所与の位置に表示されるようになり、新たな宣伝広告媒体の１つとなり得る。
【００９６】
このような電子機器は、ＣＰＵ１２によって次のような処理を行うプログラムが実行されることで実現される。
【００９７】
図１０および図１１は、上述した静止画と動画が混在したコンテンツデータを表示させるプログラムの処理内容の一例である。
【００９８】
ＣＰＵ１２は、インターネットを介してコンテンツデータに含まれるメニュー情報を取得すると、静止画領域設定部２５６によりメニュー画面を表示するための静止画情報に基づいて、液晶パネル２２の表示領域内でメニュー表示領域を設定する（ステップＳ１０）。
【００９９】
続いて、静止画設定領域２５８により、メニュー画面を表示させるためのメニューデータ（静止画情報）を、設定したメニュー表示領域に対応したＸドライバＩＣ２４の表示データＲＡＭ１６０の記憶領域に書き込む（ステップＳ１１）。すなわち、ＸドライバＩＣ２４に伝送して、所与のコマンドにより表示データＲＡＭ１６０に書き込み制御を行う。
【０１００】
その後、ユーザによる操作入力部３８を介したキー入力を受け付ける（ステップＳ１２）。
【０１０１】
その結果、ユーザの操作入力部３８を介したキー入力により、メニュー画面の選択項目のうち「１．ストーリー」が選択されたとき（ステップＳ１３：Ｙ）、選択項目「１」が選択された旨をコンテンツサーバに通知して、これに対応したコンテンツデータ（ストーリー情報）を取得する。このコンテンツデータ（ストーリー情報）は、例えば選択されている映画のストーリーの内容を表示するための静止画情報である。
【０１０２】
静止画領域設定部２５６は、取得したコンテンツデータ（ストーリー情報）に含まれ、ストーリーを表示するテキスト画面を表示するための静止画情報に基づいて、液晶パネル２２の表示領域内でストーリー表示領域を設定する（ステップＳ１４）。
【０１０３】
続いて、静止画データ書込部２５８により、選択された映画のストーリー内容を表示させるためのストーリー情報（静止画情報）を、設定したストーリー表示領域に対応したＸドライバＩＣ２４の表示データＲＡＭ１６０の記憶領域に書き込む（ステップＳ１５）。すなわち、ＸドライバＩＣ２４に伝送して、所与のコマンドにより表示データＲＡＭ１６０に書き込み制御を行う。
【０１０４】
一方、ステップＳ１３で、ユーザの操作入力部３８を介したキー入力により、メニュー画面の選択項目のうち「２．キャスト紹介」が選択されたとき（ステップＳ１３：Ｎ、ステップＳ１６：Ｙ）、選択項目「２」が選択された旨をコンテンツサーバに通知して、これに対応したコンテンツデータ（キャスト紹介情報）を取得する。このコンテンツデータ（キャスト紹介情報）は、例えば選択されている映画のキャスト紹介の内容を表示するための静止画情報である。
【０１０５】
静止画領域設定部２５６は、取得したコンテンツデータ（キャスト紹介情報）に含まれ、キャスト紹介を表示するテキスト画面を表示するための静止画情報に基づいて、液晶パネル２２の表示領域内でキャスト紹介表示領域を設定する（ステップＳ１７）。
【０１０６】
続いて、静止画データ書込部２５８により、選択された映画のキャスト紹介内容を表示させるためのキャスト紹介情報（静止画情報）を、設定したキャスト紹介表示領域に対応したＸドライバＩＣ２４の表示データＲＡＭ１６０の記憶領域に書き込む（ステップＳ１８）。すなわち、ＸドライバＩＣ２４に伝送して、所与のコマンドにより表示データＲＡＭ１６０に書き込み制御を行う。
【０１０７】
また、ステップＳ１６で、ユーザの操作入力部３８を介したキー入力により、メニュー画面の選択項目のうち「３．公開地域」が選択されたとき（ステップＳ１６：Ｎ、ステップＳ１９：Ｙ）、選択項目「３」が選択された旨をコンテンツサーバに通知して、これに対応したコンテンツデータ（公開地域情報）を取得する。このコンテンツデータ（公開地域情報）は、例えば選択されている映画が公開される地域や劇場などの公開場所を特定する内容を表示するための静止画情報である。
【０１０８】
静止画領域設定部２５６は、取得したコンテンツデータ（公開地域情報）に含まれ、公開地域を表示するテキスト画面を表示するための静止画情報に基づいて、液晶パネル２２の表示領域内で公開地域表示領域を設定する（ステップＳ２０）。
【０１０９】
続いて、静止画データ書込部２５８により、選択された映画の公開地域を表示させるための公開地域情報（静止画情報）を、設定した公開地域表示領域に対応したＸドライバＩＣ２４の表示データＲＡＭ１６０の記憶領域に書き込む（ステップＳ２１）。すなわち、ＸドライバＩＣ２４に伝送して、所与のコマンドにより表示データＲＡＭ１６０に書き込み制御を行う。
【０１１０】
さらに、ステップＳ１９で、ユーザの操作入力部３８を介したキー入力により、メニュー画面の選択項目のうち「４．チケット」が選択されたとき（ステップＳ１９：Ｎ、ステップＳ２２：Ｙ）、選択項目「４」が選択された旨をコンテンツサーバに通知して、これに対応したコンテンツデータ（チケット情報）を取得する。このコンテンツデータ（チケット情報）は、例えば選択されている映画の劇場チケットを予約するための案内を表示するための静止画情報である。
【０１１１】
静止画領域設定部２５６は、取得したコンテンツデータ（チケット情報）に含まれ、チケット予約案内を表示するテキスト画面を表示するための静止画情報に基づいて、液晶パネル２２の表示領域内でチケット表示領域を設定する（ステップＳ２３）。
【０１１２】
続いて、静止画データ書込部２５８により、選択された映画の劇場チケットの予約案内を表示させるためのチケット情報（静止画情報）を、設定したチケット表示領域に対応したＸドライバＩＣ２４の表示データＲＡＭ１６０の記憶領域に書き込む（ステップＳ２４）。すなわち、ＸドライバＩＣ２４に伝送して、所与のコマンドにより表示データＲＡＭ１６０に書き込み制御を行う。
【０１１３】
ここで、ユーザが、表示されたチケット予約案内にしたがってチケット予約を行った場合、実際にはチケット予約に伴うチケット手配や決済を含むチケット予約処理が行われる。
【０１１４】
ステップＳ２２で、ユーザの操作入力部３８を介したキー入力により、メニュー画面の選択項目のうち「５．予告編」が選択されたとき（ステップＳ２２：Ｎ、ステップＳ２５：Ｙ）、選択項目「５」が選択された旨をコンテンツサーバに通知して、これに対応したコンテンツデータ（予告編情報）を取得する。このコンテンツデータ（予告編情報）は、例えば選択されている映画の予告編の内容を表示するための動画情報である。
【０１１５】
動画領域設定部２５２は、取得したコンテンツデータ（予告編情報）に含まれ、予告編の内容を表示するための動画情報に基づいて、液晶パネル２２の表示領域内で予告編表示領域を設定する（ステップＳ２６）。
【０１１６】
続いて、動画データ書込部２５４により、選択された映画の予告編を表示させるための予告編情報（動画情報）を、設定した予告編表示領域に対応したＸドライバＩＣ２４の表示データＲＡＭ１６０の記憶領域に書き込む（ステップＳ２７）。すなわち、ＤＳＰ１６に対して、書き込むべき動画データのＸドライバＩＣ２４に対する伝送を指示して、表示データＲＡＭ１６０に書き込みを行わせる。
【０１１７】
ステップＳ２５でも、ユーザの操作入力部３８を介したキー入力により、メニュー画面の選択項目のうち「５．予告編」が選択されないとき（ステップＳ２５：Ｎ）、インターネットを介してコンテンツサーバから配信される宣伝広告を目的とした動画情報の表示処理を行う。
【０１１８】
すなわち、取得したコンテンツデータに含まれる宣伝広告のための動画情報から、動画領域設定部２５２により、液晶パネル２２の表示領域内でＣＭ表示領域を設定する（ステップＳ２８）。このＣＭ表示領域は、取得したコンテンツデータに含まれる宣伝広告のための動画情報によって指定されている領域であっても良いし、ユーザによって指定された領域であっても良い。
【０１１９】
続いて、動画データ書込部２５４により、取得した宣伝広告のためのＣＭ情報（動画情報）を、設定したＣＭ表示領域に対応したＸドライバＩＣ２４の表示データＲＡＭ１６０の記憶領域に書き込む（ステップＳ２９）。すなわち、ＤＳＰ１６に対して、書き込むべき動画データのＸドライバＩＣ２４に対する伝送を指示して、表示データＲＡＭ１６０に書き込みを行わせる。
【０１２０】
ステップＳ１５、ステップＳ１８、ステップＳ２１、ステップＳ２４、ステップＳ２７或いはステップＳ２９で、静止画データまたは動画データが表示データＲＡＭ１６０に書き込まれると、ＸドライバＩＣ２４などで液晶パネル２２を含む表示部を表示駆動して、静止画および動画が混在したコンテンツが表示される。その後、このコンテンツサービスを終了するときは（ステップＳ３０：Ｙ）、一連の表示処理を終了する（エンド）。コンテンツサービスを終了しないとき（ステップＳ３０：Ｎ）、再びステップＳ１０に戻ってメニュー表示を行う。
【０１２１】
＜第２の実施の形態＞
本発明の第１の実施の形態に係るＸドライバＩＣ２４は、表示データＲＡＭ１６０を３ポートのメモリセルで構成することによって、静止画データおよび動画データの別系統による書き込みを可能にしていたが、これに限定されるものではない。
【０１２２】
図１２は、本発明の第２の実施の形態に係るＸドライバＩＣ３００の一部のブロック図である。なお、図１２において図４と同一機能を有する回路については、図４と同一の符号を用いその詳細な説明を省略する。また、図１２にて省略されている回路は、図４の回路と同一である。
【０１２３】
図１２に示すＸドライバＩＣ３００が図４に示すＸドライバＩＣ２４と相違する点は、まず第１，第２の表示データＲＡＭ３１０，３２０を設けた点である。第１の表示データＲＡＭ３１０には静止画データが記憶され、第２の表示データＲＡＭ３２０には動画データが記憶される。なお、第１，第２のＲＡＭ３１０，３２０は、図６に示す第２のワード線Ｗ２と、第２のビット線対Ｂ２，／Ｂ２と、第２のカラムスイッチＳＷ２と、第２のカラムアドレスデコーダ１４４Ａと、第２のページアドレスデコーダ１５４Ａは不要であり、従来構成のメモリセルを用いることができる。
【０１２４】
図１３は、第１の表示データＲＡＭ３１０の静止画表示領域３１０、第２の表示データＲＡＭ３２０の動画記憶領域３２０Ａ、液晶パネル２２の動画表示領域２２Ａおよび静止画表示領域２２Ｂの関係を示している。
【０１２５】
第１，第２の表示データＲＡＭ３１０，３２０は液晶パネル２２の一画面の全画素と対応する記憶領域を有する。これにより、図１３に示す静止画記憶領域３１０Ａおよび動画記憶領域３２０Ａは任意に変更可能となる。なお、図１３では説明の便宜上、第１，第２の表示データＲＡＭ３１０，３２０の各メモリ空間と、液晶パネル２２の表示空間とを同一の大きさに描いている。
【０１２６】
例えば１秒間に２０枚のフレームレートにて第２の表示データＲＡＭ３２０の動画記憶領域３２０Ａにデータが書き込まれ、例えば１秒間に６０枚のフレームレートにてデータが読み出されて液晶パネル２２の動画表示領域２２Ａに表示される。一方、例えば１秒間に９０枚のフレームレートにて第１の表示データＲＡＭ３１０の静止画記憶領域３１０Ａにデータが書き込まれ、例えば１秒間に６０枚のフレームレートにてデータが読み出されて液晶パネル２２の静止画表示領域２２Ｂに表示される。
【０１２７】
このように、第２の実施の形態では第１の実施の形態とは異なり第１，第２の表示データＲＡＭ３１０，３２０を設けている。このため、第１の表示データＲＡＭ３１０に対応させて、第１のカラムアドレス制御回路１４２、第１のＩ／Ｏバッファ３１２、第１のページアドレス制御回路１５２および第１の表示アドレス制御回路３３０を設けている。同様に、第２の表示データＲＡＭ３２０に対応させて、第２のカラムアドレス制御回路１４４、第２のＩ／Ｏバッファ３２２、第１のページアドレス制御回路１５４および第２の表示アドレス制御回路３４０を設けている。
【０１２８】
さらに、第１，第２の表示データＲＡＭ３１０，３２０からの表示データを、ＭＰＵ系制御回路１３０からの出力に基づいて選択してＰＷＭデコーダ回路１８０に出力するセレクタ３５０を設けている。
【０１２９】
本発明の第２の実施の形態においても、静止画、動画は第１，第２のバスライン１１０，１２０により別系統にて伝送される。また、第１のＲＡＭ３１０，第２のＲＡＭ３２０にデータを書き込むためのカラムおよびページアドレスも、静止画と動画とで別系統で指定される。このため、動画データを第２のＲＡＭ３２０に書き換えながら、同時に静止画データを第１のＲＡＭ３１０にて書き換えることができ、動画データの書き込みの終了を待って静止画データを書き込む必要がない。
【０１３０】
なお、本発明は上述した実施の形態に限定されるものではなく、本発明の要旨の範囲内で種々の変形実施が可能である。
【０１３１】
また、本発明では、映画情報を提供するコンテンツサービスを受ける電子機器について説明したが、これに限定されるものではない。
【図面の簡単な説明】
【０１３２】
【図１】本発明が適用される電子機器の概略ブロック図である。
【図２】図１の電子機器の一例である携帯電話機の概略ブロック図である。
【図３】図１に示す液晶パネルの表示例とは異なる表示例を示す概略説明図である。
【図４】図１に示すＸドライバＩＣの概略ブロック図である。
【図５】図４に示す表示データＲＡＭ及びその周辺回路の概略説明図である。
【図６】図５に示す表示データＲＡＭ内のメモリセルの回路図である。
【図７】静止画及び動画の書き込みクロックと表示用読み出しクロックとを示す波形図である。
【図８】第１の実施の形態に係るＸドライバＩＣを備える電子機器としての携帯電話機の一例の構成要部を示すブロック図である。
【図９】第１の実施の形態に係るＸドライバＩＣを備える電子機器としての携帯電話機の表示部の一例を示す説明図である。
【図１０】第１の実施の形態に係る電子機器としての携帯電話機における静止画および動画が混在した画像情報の表示処理の一例の前半部を示す流れ図である。
【図１１】第１の実施の形態に係る電子機器としての携帯電話機における静止画および動画が混在した画像情報の表示処理の一例の後半部を示す流れ図である。
【図１２】本発明の第２の実施の形態に係るＸドライバＩＣの概略ブロック図である。
【図１３】図１２に示す第１，第２の表示データＲＡＭの記憶領域と液晶パネルの表示領域との関係を示す概略説明図である。
【符号の説明】
【０１３３】
１０  ＭＰＵ、１２  ＣＰＵ、１４  静止画用メモリ、１６  ＤＳＰ（ディジタル・シグナル・プロセッサ）、１８  動画用メモリ、２０  表示ユニット、２２  液晶パネル、２２Ａ，２６２  動画表示領域、２２Ｂ，２６０  静止画表示領域、２４  ＸドライバＩＣ、２６  ＹドライバＩＣ、３０  携帯電話機、３２  アンテナ、３４  変復調回路、３６  ディジタルビデオカメラ、３８  操作入力部、１００  ＭＰＵインターフェース、１０２  入出力バッファ、１０４  入力バッファ、１１０  第１のバスライン、１１２  バスホールダ、１１４  コマンドデコーダ、１１６  ステータス設定回路、１２０  第２のバスライン、１２２  バスホールダ、１３０  ＭＰＵ系制御回路、１４０  カラムアドレス制御回路、１４２  第１のカラムアドレス制御回路、１４２Ａ  第１のカラムアドレスデコーダ、１４４  第２のカラムアドレス制御回路、１４４Ａ  第２のカラムアドレスデコーダ、１５０  ページアドレス制御回路、１５２  第１のページアドレス制御回路、１５２Ａ  第１のページアドレスデコーダ、１５４  第２のページアドレス制御回路、１５４Ａ  第２のページアドレスデコーダ、１６０  表示データＲＡＭ、１６２  Ｉ／Ｏバッファ、１７０  ドライバ系制御回路、１７２  Ｘドライバ系制御回路、１７４  Ｙドライバ系制御回路、１７６  発振回路、１７８  電源制御回路、１８０  ＰＷＭデコーダ回路、１９０  液晶駆動回路、２００  メモリ素子、２０１，２０２  ＣＭＯＳインバータ、２０４，２０６  第１，第２の配線、２１０，２１２  第１，第２のＮ型ＭＯＳトランジスタ（第１のスイッチ）、２２０，２２２  第１，第２のＰ型ＭＯＳトランジスタ、２３０，２３２  第３，第４のＮ型ＭＯＳトランジスタ（第２のスイッチ）、２５０  メモリ、２５２  動画領域設定部、２５４  動画データ書込部、２５６  静止画領域設定部、２５８  静止画データ書込部、３００  ＸドライバＩＣ、３１０，３２０  第１，第２の表示データＲＡＭ、３１２，３２２  Ｉ／Ｏバッファ、３３０，３４０  第１，第２の表示アドレス制御回路、３５０  セレクタ、Ｗ１〜Ｗ３  第１〜第３のワード線、Ｂ１，／Ｂ１  第１のビット線対、Ｂ２，／Ｂ２  第２のビット線対、Ｃ１０，Ｃ１１，Ｃ２０，Ｃ２１  メモリセル
【図１】
2005215690.tif 000003
【図２】
2005215690.tif 000004
【図３】
2005215690.tif 000005
【図４】
2005215690.tif 000006
【図５】
2005215690.tif 000007
【図６】
2005215690.tif 000008
【図７】
2005215690.tif 000009
【図８】
2005215690.tif 000010
【図９】
2005215690.tif 000011
【図１０】
2005215690.tif 000012
【図１１】
2005215690.tif 000013
【図１２】
2005215690.tif 000014
【図１３】
2005215690.tif 000015